(57)【特許請求の範囲】
【請求項１】
前面開放型で縦長状のケース体でビルなどの壁面にその背面が取り付けられるケース本体と、同ケース本体の前面開放部分に開閉自在に設けられた前面蓋と、ケース本体内に上下複数段にわたって横架された固定軸と、同固定軸まわり基部ボスが回転自在とされ先に標識幕を付すことのできる複数本のポールとを備え、これら複数本のポールのうち上端のものは下向きにまた下端のものは上向きに収納されるべく上下のポールはリンクで連動自在とされるとともに複数本のポールのうちの１本には駆動手段が連結されている標識幕掲出収納装置。
【請求項２】
ビルなどの壁面に設けられた主看板に平行に補助看板を設け、これら両看板の間を収納スペースとして標識幕用のポールを出し入れ自在に構成した標識幕掲出収納装置。
【発明の詳細な説明】
【技術分野】
【０００１】  本発明は、標識幕掲出収納装置に関する。
【背景技術】
【０００２】  一般家庭やビルなどにおいては、国民の祝日に国旗（標識幕）を掲げるようにする慣わしがある。
【発明の開示】
【発明が解決しようとする課題】
【０００３】  しかし、最近では国旗を掲出することは手間もかかり余り掲出しないようになってきている。
上記に鑑み、本発明は、標識幕の掲出と収納が全て自動的に行えるようにした標識幕掲出収納装置を提供することにある。
【課題を解決するための手段】
【０００４】  上記課題を解決するため、請求項１記載の発明は、前面開放型で縦長状のケース体でビルなどの壁面にその背面が取り付けられるケース本体と、同ケース本体の前面開放部分に開閉自在に設けられた前面蓋と、ケース本体内に上下複数段にわたって横架された固定軸と、同固定軸まわり基部ボスが回転自在とされ先に標識幕を付すことのできる複数本のポールとを備え、これら複数本のポールのうち上端のものは下向きにまた下端のものは上向きに収納されるべく上下のポールはリンクで連動自在とされるとともに複数本のポールのうちの１本には駆動手段が連結されている。
請求項２記載の発明は、ビルなどの壁面に設けられた主看板に平行に補助看板を設け、これら両看板の間を収納スペースとして標識幕用のポールを出し入れ自在に構成した。
【発明の効果】
【０００５】  本発明によれば、前面開放型で縦長状のケース体でビルなどの壁面にその背面が取り付けられるケース本体と、同ケース本体の前面開放部分に開閉自在に設けられた前面蓋と、ケース本体内に上下複数段にわたって横架された固定軸と、同固定軸まわり基部ボスが回転自在とされ先に標識幕を付すことのできる複数本のポールとを備え、これら複数本のポールのうち上端のものは下向きにまた下端のものは上向きに収納されるべく上下のポールはリンクで連動自在とされるとともに複数本のポールのうちの１本には駆動手段が連結されているので、標識幕の掲出と収納が全て自動的に行えるようにした標識幕掲出収納装置を提供することができる。
【発明を実施するための最良の形態】
【０００６】  以下、図示する実施形態により本発明を詳細に説明する。
尚、以下の各実施形態で説明する個々の開示例は他の実施形態にも適用されるものとする。
図１および図２は、この発明の一実施形態を示すもので、同実施形態において、１１９はビルなどの壁面で、同壁面１１９には、ブラケット１２０などを介して全面開放型でヒンジ１２１により前面蓋１２２が開閉自在とされた本体ケース１２３が縦長状に取り付けられている。【０００７】  本体ケース１２３内には、上下３列にわたって固定軸１２４…が横架されており、各固定軸１２４回りには図１の横断面図のように左右に位置をずらせて上段ボス１２５・中段ボス１２６・下段ボス１２７の順に回転自在に設けられているとともに、各ボス１２５〜１２７からはケース外前方へ斜め上がりに張り出される上ポール１２８・中ポール１２９・下ポール１３０がそれぞれ平行になる関係で取り付けられている。
これらポール１２８〜１３０には、それぞれの態様（「地球環境を守ろう！」や「美しい国日本」）などの標示がなされた旗１３１…が取り付けられる一方、図２の仮想線のように本体ケース１２３内に納まるようになっている。【０００８】  すなわち、下２本のポール１２９，１３０は上向きに納まり上１本のポール１２８は下向きに納まるようにされ、そのため、ケース１２３内にエアーや油圧のシリンダ１３２を備え付け、このシリンダ１３２に第１リンク１３３を介して下ポール１３０を上下させるようにするとともに下ポール１３０と中ポール１２９とを同調リンク１３４でつないである。上ポール１２８からは第２リンク１３５を突設し、同リンク１３５と中ポール１２９との間は逆の方向で回転するように逆回転リンク１３６で連結してある。
尚、各旗１３１には下端縁に錘１３７…が入れられ風でポールにからまず収納が確実に行われるようにしてある。【０００９】  図１および図２は旗１３１…が張り出された状態を示し、この状態では錘１３７により旗１３１は安定で美的にそよぐようになっている。夕刻になるとシリンダ１３２がタイマー駆動され、第１リンク１３３が押し下げられる同時に下２本のポール１２９，１３０は上回りに回転し上１本のポール１２８は下周りに回転する。
これらの回転により図２の仮想線のように各ポール１２８〜１３０はケース１２３内に納まる。ポール１２８〜１３０は全て同じ方向に納まるようにしてもよい。一方夜が明けて一定の時間になると、制御回路付きタイマー（３６５日カレンダー式タイマー）１４０によりシリンダ１３２が引き方向に駆動されると同時に駆動モーター１３８と伝導手段１３９により前面蓋１２２が開かれ、ポール１２８〜１３０を介して旗１３１が突き出すようにされる。
尚、緊急地震警報あるいは内蔵式Ｐ波感知装置に連動して旗１３１…が激しくあるいは緩徐に上下に振れて地震の来ることを知らせるように構成してもよい。また、これらの電力はソーラー発電によるものでもよい。【００１０】  図３の提案例は、ポール１４２に第１リング１４３と第２リング１４４を介して旗１４１の紐１４５を結びつけるようにするとともに旗１４１の裾に錘１４６…を備えることで常に旗１４１が垂れ下がった好ましい状態を維持するものとした例である。１４７はストッパで、第１リング１４３を位置決めするものである。
本例は、ポール１４２に黄金玉１４８の挿し棒１４９を嵌め込む方式で第１リング１４３がポール１４２先端段差に引っ掛かるものであったが、上欄図のようにポール１４２の先端に直接黄金玉１４８が取り付けられている場合には、第１リング１４３を係止するストッパ１４７が必要となる。
尚、同ポール１４２のパイプ内にタイマー制御による風を通して噴気口１５０…より旗１４１を靡かせるようにしてもよい。この実施形態は、図２および図３のような自動式のもののほか、玄関先に固定設置するタイプのものにも適用があることは勿論である。【００１１】  図４および図５は他の実施形態を示すもので、ビル３０８の外壁に既設として主看板（サイン）３０９が取り付けられているものに支持軸３１０回りに回転する旗３１１などの標識幕付きポール３１２を出し入れ自在とするもので、主看板３０９の裏側にこれらの装置を設置すると、出したときも引っ込めたときもこれら装置が裏方から見えてしまう不都合がある。
そこで、この提案例では、出したときも引っ込めたときもこれら装置が裏方から見えないように、主看板３０９の裏方に離間させた補助看板３１３を隠し役として平行に配したものである。主看板３０９はそのままとしこの補助看板３１３の方にポール３１２を出し入れ駆動させる機構や制御部などを内蔵するのが好ましい。
尚、図５に仮想線で示す３１４は弾性カバーで、主看板３０９と補助看板３１３の外周を含むそれらの間を覆うゴム膜のようなもので、両看板３０９，３１３間に相当する個所に切れ溝を有し、その溝を通じてポール３１２が出入りする一方ポール３１２が収納された状態では外部から保護されるようにしたものである。切り溝は、ポール３１２の通過に問題はないが旗３１１が通過して収納される場合に切り溝に挟まれて一部が外部にはみ出した不体裁な状況になるおそれがあるので、切り溝の幅を旗３１１が余裕をもって通過させ得る幅にしておく必要がある。【００１２】  図６も付加的な提案例を示すもので、ビル３１６の外壁に縦向きのガイドレール３１７を固定して上下のホイール３１８間に無端伝導材３１９を掛け渡して地上に近い高さに設けたハンドル３２０を回すことで伝導材３１９を上下いずれにも駆動させることができるようにしてある。その伝導材３１９にはローラー３２１を介してガイドレール３１７に沿って上下する昇降ライナー３２２が取り付けられている。【００１３】  前記ビル３１６の外壁には既設のものとして主看板（サイン）３２３が取り付けられて機能しており、その上を利用して他のサインを構成してある。このサインは、主看板３２３上に固定された収納ケース３２４と、昇降ライナー３２２に同行自在に取り付けられたカバー３２５とを備えるとともに、カバー３２５と収納ケース３２４との間には、前後２条の線条材３２６が図６のように引っ張られた状態とケース３２４内に収納された状態とを得るように設けられ、同線条材３２６間には水平方向の２本の吊り受け材３２７を介して旗などの標識幕３２８が吊り下げられている。
尚、線条材３２６の下端と収納ケース３２４との間には線条材３２６を過度の引っ張りなく緊張良く張るための弾性材３２９が設けられている。
線条材３２６それ自体を伸縮自在な素材で構成してもよい。【００１４】  そして、同図の状態はハンドル３２０の操作により昇降ライナー３２２が上昇されカバー３２５を介して線条材３２６が上向きに引き上げられた状態を示し、この状態では標識幕３２８が遠くから視認できる状態になっている。
ハンドル３２０を逆回転させることで昇降ライナー３２２が下がり、それとともに線条材３２６が弛んで標識幕３２８とともに収納ケース３２４内に下がりその上からカバー３２５が被さって収納状態とされる。この収納状態を保持するためカバー３２５と収納ケース３２４間をマグネット（図示省略）で吸着するようにしてもよい。【００１５】  図７および図８は他の提案例を示す。同提案例は、ビル３４０などの建造物の窓口の一部開かれた側部開口に収納装置３４１をセットし同装置３４１を介して旗３４２や幟などの掲示物を出し入れ自在としたものである。【００１６】  収納装置３４１は、前後が開口して縦長枠状に形成された取付枠３４３と、同取付枠３４３の上部に嵌め込まれる閉止カバー３４４と、縦長で奥行きのある直方体のケース３４５を備え、同ケース３４５は、樹脂、木板あるいは薄金属板などにより形成されるが、その外部に向く開口３４６から入る雨水がビル室内に浸入しないように水密型になっている。
尚、取付枠３４３は、窓枠３４８を開閉案内する固定枠３４９の内高さにフィットさせるため高さ調節自在に上下２分割式に構成することができる。前記ケース３４５の内面底壁は水平でなく前傾状ａに形成すれば雨水が自ずと外部に排除される。【００１７】  ケース３４５は、窓枠３４８の一部を図７のように開けその側縁と固定枠３４９との間に適合させて取付枠３４３を装着するとともに同取付枠３４３を介して閉止カバー３４４を適合式にセットして残る縦長状の開口を介して装着される。【００１８】  ケース３４５内の上側には、ポール３５１を介して旗３４２を出し入れするための機構が組み込まれている。３５２はガイドハウジングで、図７の右欄に示すように、リップ付き溝型アルミ合金で形成され、その溝側を下に向けるようにしてケース３４５内の上部に水平に固定されている。
ガイドハウジング３５２には、先側に４点配置をなして鼓形のゴム製などのガイドローラー３５３…がそれぞれ縦軸状に配備され、これらの間を介してポール３５１が進退自在に案内されるとともにガイドローラー３５３の中の１つが正逆回転制御される駆動源（減速機付きモーター）３５５により駆動ローラーとして機能するようになっている。旗３４２の吊持基部はガイドハウジング３５２の溝３５６内を通して前後するようになっている。【００１９】  ポール３５１の尾端部には作動片３５７が設けられてケース３４５の前後に配備したスイッチ３５８を作動させることで駆動源３５５を正逆に回転切換可能とする。【００２０】  図７および図８の実線（破線）の状態はポール３５１がケース３４５内に納まった状態を示し、例えば、タイマー制御により朝○時になると自動的に駆動源３５５がＯＮとなってガイドローラー３５３を駆動させ、ポール３５１が進出することで旗３４２が掲出される。ポール３５１が進出した端部では、作動片３５７がスイッチ３５８を蹴ることで駆動源３５５の作動が停止するとともに、一定時間が経過すると同駆動源３５５が逆回転して元に復帰する。復帰終了は作動片３５７がスイッチ３５８を蹴ることで得られる。【００２１】  図９は他の提案例を示す。同提案例は、前記と同じく一方の窓枠を少し開いてその隙間に図示装置を嵌め込むようにしたもので、ケース３６０の下部に横軸３６１を設けて駆動源３６２により旗３６３付きポール３６４を起倒自在として出し入れできるユニットを構成したものである。同ケース３６０の場合も室内に雨水が入らないように水密式にしてある。同ケース３６０はＦＲＰ製でもよい。【００２２】  図１０は他の提案例を示す。同提案例は、幟３６７を扇面の軌道上で左右に連続的に振る装置で、設置面３６８上に錘３６９付きバランス保持板３７０により多少の風があっても自立するように設置したケース３７１と、同ケース３７１内に横架した駆動軸３７２と、同駆動軸３７２を連続的に往復駆動させる駆動源３７３と、駆動軸３７２の回りに同調回転可能に取り付けた基部ボス３７４と、同ボス３７４からケース３７１の長孔を通じて上方に高く伸びたポール３７５とを備える。【００２３】  図示した装置は、錘３６９付きバランス保持板３７０により安定しており、その状態で駆動源３７３が往復駆動されるとポール３７５を介して幟３６７が図の矢印のように往復して振られる。従って、イベントや祭を行う際や神社等に設置すれば幟３６７がゆれ動くので非常に目立ち、集客力が増す。
尚、同装置を複数基独立して設置する他、バランス保持板３７０などの安定化手段を隣同士で連結すれば安定化することができる。ケース３７１を図示よりも長い共用型にしてそこに複数基の幟３６７を揺れ動くように設けてもよい。
また、前記例ではポール３７５を往復駆動するようにしていたが、上からみて円を描くように回転させてもよい。
【図面の簡単な説明】
【００２４】
【図１】本発明の一実施形態を示す横断面図。
【図２】図１の縦断面図。
【図３】他の提案例を示す正面図。
【図４】他の実施形態を示す正面図。
【図５】図４の正面図。
【図６】他の付加的提案例を示す正面図。
【図７】他の提案例を示す斜視図。
【図８】図７の例の詳細を示す縦断面図。
【図９】他の提案例を示す斜視図。
【図１０】他の提案例を示す正面図。
【符号の説明】
【００２５】  １１９…壁面  １２２…前面蓋  １２３…本体ケース  １２４…固定軸  １２５，１２６，１２７…ボス  １２８，１２９，１３０…ポール  １３１…標識幕（旗）  １３２…駆動手段（シリンダ）  １３３，１３４，１３５，１３６…リンク。
【図１】
0004947525.tif 000002
【図２】
0004947525.tif 000003
【図３】
0004947525.tif 000004
【図４】
0004947525.tif 000005
【図５】
0004947525.tif 000006
【図６】
0004947525.tif 000007
【図７】
0004947525.tif 000008
【図８】
0004947525.tif 000009
【図９】
0004947525.tif 000010
【図１０】
0004947525.tif 000011